(57)【特許請求の範囲】
【請求項１】
地上デジタル放送を受信する受信部を備える携帯端末であって、
交通機関の自動改札機との間で非接触通信を行う非接触ＩＣ、
前記非接触ＩＣが前記自動改札機との間で非接触通信を行ったときに前記非接触ＩＣが当該自動改札機から受信する、当該自動改札機が設置された駅の駅名情報を含む通信場所の情報と、入駅または出駅についての情報とを取得する情報取得部、
前記情報取得部が取得した通信場所の情報に基づいて、現在のチャンネルエリアを特定するエリア特定部、および
現在のチャンネルエリアに応じたチャンネル設定に変更するチャンネル設定部を備え、
前記エリア特定部は、入駅および出駅のうち、ユーザが出駅するときのみに現在のチャンネルエリアを特定する処理を実行する、携帯端末。
【請求項２】
前記エリア特定部によって特定されたチャンネルエリアが、設定中のチャンネルエリアと異なるか否かを判定する判定部を備え、
前記チャンネル設定部は、前記判定部によってチャンネルエリアが異なると判断されたとき、現在のチャンネルエリアに応じたチャンネル設定に変更する、請求項１記載の携帯端末。
【請求項３】
前記非接触ＩＣは、前記自動改札機に設けられるリーダ／ライタとの間で非接触通信を行う、請求項１または２記載の携帯端末。
【請求項４】
地上デジタル放送を受信する受信部、および交通機関の自動改札機との間で非接触通信を行う非接触ＩＣを備える携帯端末のプロセサによって実行されるチャンネル設定プログラムであって、前記チャンネル設定プログラムは、前記プロセサを、
前記非接触ＩＣが前記自動改札機との間で非接触通信を行ったときに前記非接触ＩＣが当該自動改札機から受信する、当該自動改札機が設置された駅の駅名情報を含む通信場所の情報と、入駅または出駅についての情報とを取得する情報取得部、
前記情報取得部が取得した通信場所の情報に基づいて、現在のチャンネルエリアを特定するエリア特定部、および
現在のチャンネルエリアに応じたチャンネル設定に変更するチャンネル設定部として機能させ、
前記エリア特定部によって、入駅および出駅のうち、ユーザが出駅するときのみに現在のチャンネルエリアを特定する処理を実行させる、チャンネル設定プログラム。
【発明の詳細な説明】
【技術分野】
【０００１】
この発明は、携帯端末およびチャンネル設定プログラムに関し、特に地上デジタル放送を受信する受信部を備える、携帯端末およびチャンネル設定プログラムに関する。
【背景技術】
【０００２】
地上デジタル放送で行われる移動体向けのテレビ放送（ワンセグ放送）に対応する携帯端末の普及が進んでいる。ワンセグ放送では、ＣＨ構成（ＣＨ：チャンネル）がそれぞれの地域（ＣＨエリア）ごとに異なる。このため、移動によって受信するＣＨエリアが変わる場合には、そのＣＨエリアに合わせたＣＨ設定が必要となる。ＣＨ設定の調整方法としては、たとえば、ユーザが手動でＣＨエリアを選択することが考えられる。しかし、手動でのＣＨ設定は、ユーザの手間となる上、テレビ機能を起動させてからワンセグ放送を視聴できるようになるまでに時間がかかるという問題がある。そこで、ＣＨエリアの移動を検知して、自動的にＣＨ設定を調整できる技術が求められる。
【０００３】
たとえば、特許文献１には、自動車や携帯端末などの移動体に搭載される受信装置において、自動的にＣＨ設定を調整する技術が開示されている。特許文献１の技術では、ＧＰＳを用いて移動体の現在位置を取得し、移動体の現在位置が予め区分された一の地域から他の地域に変わったか否かを判別し、一の地域から他の地域に変わったと判別された場合に、他の地域に対応するＣＨに切り替え設定する。
【０００４】
また、非接触ＩＣカードを用いて経路探索を行う技術として、特許文献２があり、適切な出力制御を行う技術として、特許文献３がある。
【特許文献１】特開２００７−３１１９８７号公報［Ｈ０４Ｎ  ５／４４］
【特許文献２】特開２００２−２９８１６９号公報［Ｇ０７Ｂ  １５／００］
【特許文献３】特開２００８−２１９２９９号公報［Ｈ０４Ｎ  ７／１７３］
【発明の概要】
【発明が解決しようとする課題】
【０００５】
しかしながら、特許文献１の技術では、ＣＨエリアの移動を検知してＣＨ設定を自動的に調整するためには、ＧＰＳを常時または定期的に起動させる必要があるので、携帯端末の消費電力が大きくなってしまう。また、特許文献２の技術は、単に経路のみを取得するものであるし、特許文献３の技術では、ＧＰＳにより位置情報を取得するのみである。
【０００６】
それゆえに、この発明の主たる目的は、新規な、携帯端末およびチャンネル設定プログラムを提供することである。
【０００７】
この発明の他の目的は、消費電力を抑えつつ、地上デジタル放送のＣＨ設定を自動的に調整できる、携帯端末およびチャンネル設定プログラムを提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、地上デジタル放送を受信する受信部を備える携帯端末であって、交通機関の自動改札機との間で非接触通信を行う非接触ＩＣ、非接触ＩＣが自動改札機との間で非接触通信を行ったときに非接触ＩＣが当該自動改札機から受信する、当該自動改札機が設置された駅の駅名情報を含む通信場所の情報と、入駅または出駅についての情報とを取得する情報取得部、情報取得部が取得した通信場所の情報に基づいて、現在のチャンネルエリアを特定するエリア特定部、および現在のチャンネルエリアに応じたチャンネル設定に変更するチャンネル設定部を備え、エリア特定部は、入駅および出駅のうち、ユーザが出駅するときのみに現在のチャンネルエリアを特定する処理を実行する、携帯端末である。
【００１０】
第１の発明では、携帯端末（１０）は、地上デジタル放送を受信する受信部（４８，５４）、および非接触ＩＣ（５０）を備える。非接触ＩＣは、乗車券機能や電子決済機能などを有しており、自動改札機（１０６）との間で非接触通信を行い（Ｓ１）、非接触通信を実行した駅の駅名情報を含む通信場所の情報、および入駅情報または出駅情報を自動改札機から受信する。情報取得部（３０，４４，６８１，Ｓ３）は、非接触ＩＣが自動改札機から受信した駅名情報を含む通信場所の情報、および入駅情報または出駅情報を取得して記憶する。エリア特定部（３０，６６２，Ｓ５）は、チャンネルエリア特定プログラム（６６２）を実行するプロセサ（３０）であり、情報取得部が取得した通信場所の情報に基づいて、現在のチャンネルエリアを特定する。このエリア特定部による現在のチャンネルエリアを特定する処理は、入駅情報または出駅情報に基づいて、入駅または出駅のうち、ユーザが出駅すると判断されたときのみに実行される。チャンネル設定部（３０，６６３，Ｓ９）は、チャンネル設定プログラム（６６３）を実行するプロセサ（３０）であり、現在のチャンネルエリアに応じたチャンネル設定に調整する。
【００１１】
第１の発明によれば、地上デジタル放送のチャンネル設定を自動的に調整するに際して、非接触ＩＣが自動改札機との間で非接触通信を行うときに受信する通信場所の情報を利用して現在のチャンネルエリアを特定する。このため、携帯端末の現在位置を把握するためにＧＰＳを起動させる必要がなく、携帯端末の消費電力を抑えることができる。
また、第１の発明によれば、非接触ＩＣの乗車券機能を利用するときに受信する通信場所の情報、つまり自動改札機が設置された駅の駅名情報を用いて、現在のチャンネルエリアを特定し、チャンネル設定を調整することができる。
さらに、第１の発明によれば、受信するチャンネルエリアが変わっている可能性が高い出駅時のみに、現在のチャンネルエリアを特定する処理を実行する。したがって、効率的にチャンネル設定を調整でき、携帯端末の消費電力をより抑えることができる。
【００１２】
第２の発明は、第１の発明に従属し、エリア特定部によって特定されたチャンネルエリアが、設定中のチャンネルエリアと異なるか否かを判定する判定部を備え、チャンネル設定部は、判定部によってチャンネルエリアが異なると判断されたとき、現在のチャンネルエリアに応じたチャンネル設定に変更する。
【００１３】
第２の発明では、判定部（３０，６６３，Ｓ７）をさらに備える。判定部は、チャンネル設定プログラム（６６３）を実行するプロセサ（３０）であり、判定部が現在のチャンネルエリアと設定中のチャンネルエリアとを比較して、これらが異なると判断した場合に、チャンネル設定部が（３０，６６３，Ｓ９）が現在のチャンネルエリアに応じたチャンネル設定に調整する。したがって、より効率的にチャンネル設定を調整できる。
【００１９】
第３の発明は、第１または第２の発明に従属し、前記非接触ＩＣは、前記自動改札機に設けられるリーダ／ライタとの間で非接触通信を行う。
【００２１】
第４の発明は、地上デジタル放送を受信する受信部、および交通機関の自動改札機との間で非接触通信を行う非接触ＩＣを備える携帯端末のプロセサによって実行されるチャンネル設定プログラムであって、チャンネル設定プログラムは、プロセサを、非接触ＩＣが自動改札機との間で非接触通信を行ったときに非接触ＩＣが当該自動改札機から受信する、当該自動改札機が設置された駅の駅名情報を含む通信場所の情報と、入駅または出駅についての情報とを取得する情報取得部、情報取得部が取得した通信場所の情報に基づいて、現在のチャンネルエリアを特定するエリア特定部、および現在のチャンネルエリアに応じたチャンネル設定に変更するチャンネル設定部として機能させ、エリア特定部によって、入駅および出駅のうち、ユーザが出駅するときのみに現在のチャンネルエリアを特定する処理を実行させる、チャンネル設定プログラムである。
【００２２】
第４の発明によれば、第１の発明と同様の効果が期待できる。
【発明の効果】
【００２３】
この発明によれば、地上デジタル放送のチャンネル設定を自動的に調整するに際して、非接触ＩＣが自動改札機との間で非接触通信を行うときに受信する通信場所の情報を利用して現在のチャンネルエリアを特定する。このため、携帯端末の現在位置を把握するためにＧＰＳを起動させる必要がなく、携帯端末の消費電力を抑えることができる。
また、この発明によれば、非接触ＩＣの乗車券機能を利用するときに受信する通信場所の情報、つまり自動改札機が設置された駅の駅名情報を用いて、現在のチャンネルエリアを特定し、チャンネル設定を調整することができる。
さらに、この発明によれば、受信するチャンネルエリアが変わっている可能性が高い出駅時のみに、現在のチャンネルエリアを特定する処理を実行する。したがって、効率的にチャンネル設定を調整でき、携帯端末の消費電力をより抑えることができる。
【００２４】
この発明の上述の目的、その他の目的、特徴および利点は、図面を参照して行う以下の実施例の詳細な説明から一層明らかとなろう。
【図面の簡単な説明】
【００２５】
【図１】携帯端末システムの一例の概略的構成を示す図解図である。
【図２】この発明の一実施例の携帯端末を示す外観図であり、（Ａ）は表面側から見た斜視図であり、（Ｂ）は裏面側から見た斜視図である。
【図３】図２に示す携帯端末の電気的な構成を示す図解図である。
【図４】図１に示すサーバに記憶される対応テーブルの一例を示す図解図である。
【図５】図３に示すＲＡＭのメモリマップの一例を示す図解図である。
【図６】図３に示すプロセサによるチャンネル設定処理の動作の一例を示すフロー図である。
【図７】携帯端末システムの他の一例の概略的構成を示す図解図である。
【発明を実施するための形態】
【００２６】
図１を参照して、この発明の一実施例の携帯端末１０は、詳細は後述するように、ワンセグ放送のＣＨ設定（ＣＨ：チャンネル，以下同様）を自動的に調整する機能を有するものであり、サーバ１０４および自動改札機１０６に設けられるリーダ／ライタ１０８とデータ通信可能に接続されて、携帯端末システム１００を構成する。
【００２７】
図２に示すように、携帯端末１０は、一例としてスマートフォン（smartphone）であり、縦長の扁平矩形のハウジング１２を含む。ただし、この発明は、従来のフィーチャフォン（feature phone）、タブレット端末およびＰＤＡ等の任意の携帯端末に適用できることを予め指摘しておく。
【００２８】
ハウジング１２の一方主面（表面）には、液晶や有機ＥＬなどのディスプレイ１４が設けられる。ディスプレイ１４の上には、タッチパネル１６が設けられる。この実施例では、タッチパネル１６は、指などの物体が表面に接近して生じた電極間の静電容量の変化を検出する静電容量方式であり、たとえば１本または複数本の指がタッチパネル１６に触れたことを検出する。また、タッチパネル１６は、ディスプレイ１４の画面内で、任意の位置を指示するためのポインティングデバイスである。つまり、ユーザは、タッチパネル１６の表面を押したり、撫でたり、触ったりするタッチ操作を行うことによって、操作位置や操作方向などを携帯端末１０に入力することができる。
【００２９】
ハウジング１２の縦方向一端側には、スピーカ１８（図３参照）が内蔵され、そのスピーカ１８に通じる開口ＯＰ１がハウジング１２の表面に設けられる。また、ハウジング１２の縦方向他端側には、マイク２０（図３参照）が内蔵され、そのマイク２０に通じる開口ＯＰ２がハウジング１２の端面に設けられる。
【００３０】
また、ハウジング１２の縦方向他端側の表面には、タッチパネル１６と共に入力操作手段を構成するハードキーとして、通話キー２２、終話キー２４およびメニューキー２６が設けられる。
【００３１】
たとえば、ユーザは、ディスプレイ１４に表示されたダイヤルキー（図示せず）に対して、タッチパネル１６によってタッチ操作を行うことで電話番号を入力でき、通話キー２２を操作して音声通話を開始することができる。終話キー２４を操作すれば、音声通話を終了することができる。なお、この終話キー２４を長押しすることによって、携帯端末１０の電源をオン／オフすることができる。
【００３２】
また、メニューキー２６を操作すれば、ディスプレイ１４にメニュー画面が表示され、その状態でディスプレイ１４に表示されているソフトキーやメニューアイコンなどに対して、タッチパネル１６によるタッチ操作を行うことによってメニューを選択し、その選択を確定させることができる。
【００３３】
さらに、ハウジング１２の中央部には、ハウジング１２の裏面側において良好な受信感度が確保されるように、非接触通信アンテナ５６が内蔵される。なお、後述するプロセサ３０等のように、その他ハウジング１２内に内蔵されるものについては、図２では図示されない。
【００３４】
図３は、携帯端末１０の電気的な構成を示すブロック図である。図３を参照して、携帯端末１０は、コンピュータまたはＣＰＵと呼ばれるプロセサ３０を含む。プロセサ３０には、無線通信回路３２、Ａ／Ｄ変換器３４、Ｄ／Ａ変換器３６、入力装置３８、表示ドライバ４０、フラッシュメモリ４２、ＲＡＭ４４、タッチパネル制御回路４６、デジタルチューナ４８および非接触ＩＣ５０などが接続される。
【００３５】
プロセサ３０は、携帯端末１０の全体制御を司る。ＲＡＭ４４には、フラッシュメモリ４２に予め設定されているプログラムの全部または一部が使用に際して展開され、このＲＡＭ４４上のプログラムに従ってプロセサ３０は動作する。なお、ＲＡＭ４４は、プロセサ３０のワーキング領域ないしバッファ領域としても用いられる。
【００３６】
入力装置３８は、図２に示すハードキー２２，２４，２６を含むものであり、タッチパネル１６と共に操作部または入力部を構成する。ユーザが操作した入力装置３８の情報（キーデータ）は、プロセサ３０に入力される。
【００３７】
無線通信回路３２は、アンテナ５２を介して、音声通信用やデータ通信用の無線信号の送受信処理を行うための回路である。この実施例では、無線通信回路３２は、ＣＤＭＡ方式での無線通信を行うための回路である。たとえば、ユーザが入力装置３８を操作して電話発信（発呼）を指示すると、無線通信回路３２は、プロセサ３０の指示の下、電話発信処理を実行し、アンテナ５２を介して電話発信信号を出力する。電話発信信号は、基地局および通信網（図示せず）を経て相手の電話機に送信される。そして、相手の電話機において着信処理が行われると、通信可能状態が確立され、プロセサ３０は通話処理を実行する。
【００３８】
また、携帯端末１０は、ネットワーク１０２を介してサーバ１０４と接続され（図１参照）、無線通信回路３２およびアンテナ５２は、サーバ１０４との間でデータ通信を実行するための通信部として機能する。
【００３９】
Ａ／Ｄ変換器３４には、マイク２０が接続され、マイク２０からの音声信号はこのＡ／Ｄ変換器３４を通してデジタルの音声データとしてプロセサ３０に入力される。Ｄ／Ａ変換器３６には、スピーカ１８が接続される。Ｄ／Ａ変換器３６は、デジタルの音声データを音声信号に変換して、アンプ（図示せず）を介してスピーカ１８に与える。したがって、音声データの音声がスピーカ２２から出力される。
【００４０】
なお、プロセサ３０は、たとえばユーザによるボリューム(図示せず)の操作に応答して、Ｄ／Ａ変換器３６に接続されるアンプの増幅率を制御することによって、スピーカ１８から出力される音声の音量を調整することができる。また、無線通信回路３２、Ａ／Ｄ変換機３４およびＤ／Ａ変換機３６は、プロセサ３０に含まれていてもよい。
【００４１】
表示ドライバ４０には、図２に示すディスプレイ１４が接続される。ディスプレイ１４は、プロセサ３０から出力される映像または画像データに従って映像または画像を表示する。つまり、表示ドライバ４０は、プロセサ３０の指示の下、当該表示ドライバ４０に接続されたディスプレイ１４の表示を制御する。また、表示ドライバ４０は、表示する画像データを一時的に記憶するビデオメモリ（図示せず）を含む。ディスプレイ１４には、たとえばＬＥＤなどを光源とするバックライトが設けられており、表示ドライバ４０は、プロセサ３０の指示に従って、そのバックライトの明るさや、点灯／消灯を制御する。
【００４２】
タッチパネル制御回路４６には、図２に示すタッチパネル１６が接続される。タッチパネル制御回路４６は、タッチパネル１６に必要な電圧などを付与するとともに、タッチ検出部として機能し、タッチパネル１６の入力有効エリア内でのタッチ操作を検出して、そのタッチ操作の位置を示す座標データをプロセサ３０に出力する。プロセサ３０は、この座標データに基づいて、そのときユーザがどのアイコンやキーにタッチしたかを判断する。なお、タッチ操作はユーザの指だけに限らず、スタイラスペンなどによって行われてもよい。また、タッチパネル１６の検出方式には、表面型の静電容量方式が採用されてもよいし、抵抗膜方式、超音波方式、赤外線方式および電磁誘導方式などであってもよい。
【００４３】
デジタルチューナ４８は、地上デジタル放送で行われる移動体向けのテレビ放送（ワンセグ放送）の受信を行うものである。たとえば、テレビ機能を実行するためのキーが操作されると、デジタルチューナ４８は起動する。起動したデジタルチューナ４８は、放送アンテナ５４によって受信したテレビの地上デジタル放送の放送波から、選局されたチャンネルに対応するテレビ放送信号を抽出する。また、その抽出したテレビ放送信号に対して復調等の処理を行い、復調信号（ＭＰＥＧ２トランスポートストリームとも言う。）を生成する。そして、ＭＰＥＧ−ＴＳデコーダ、ビデオデコーダ、字幕デコーダおよびオーディオデコーダを含むデコーダ（図示せず）に復調信号を出力する。
【００４４】
デコーダに入力された復調信号は、ＭＥＰＧ−ＴＳデコーダによってＭＰＥＧ方式に基づいた復号処理が行われ、映像信号、字幕信号および音声信号が形成される。また、映像信号はビデオデコーダでデコードされ、字幕信号は字幕デコーダでデコードされ、音声信号は音声デコーダでデコードされる。さらに、デコードされた各データはプロセサ３０に入力される。プロセサ３０は、デコードされた映像データをビデオメモリに格納し、デコードされた音声データ（デジタル音声信号）をＤ／Ａ変換機３６に出力する。したがって、受信したテレビ放送に従う映像がディスプレイ１４に表示されるとともに、放送の音声（放送音声）がスピーカ１８から出力される。なお、番組を視聴しているときに、タッチパネル１６または入力装置３８によってチャンネルを選局する操作がされると、プロセサ３０は選局命令をデジタルチューナ４８に出力する。
【００４５】
非接触ＩＣ５０は、メモリ５０ａや、図示しないマイコン、暗号回路および非接触通信回路などから構成される。この実施例では、非接触ＩＣ５０は、「ＦｅＬｉＣａ（登録商標）」と呼ばれる非接触ＩＣカードの技術に基づいて構成されたＩＣである。非接触ＩＣ５０は、非接触通信アンテナ５６を介して、自動改札機１０６が備えるリーダ／ライタ１０８（図１参照）との間で非接触通信を行うことができ、駅に入場または駅から退場するための乗車券機能を有する。なお、非接触ＩＣ５０は、リーダ／ライタ１０８に近づけられると、電磁誘導の原理で電力を得て起動され、携帯端末１０の電源のオン／オフに関係なく、リーダ／ライタ１０８との間で非接触通信を行うことができる。なお、非接触ＩＣ５０とリーダ／ライタ１０８との通信内容は、記憶装置であるＲＡＭ４４に送信されて一時記憶される。
【００４６】
次に、この実施例の動作の概要を説明する。携帯端末１０が備える非接触ＩＣ５０の乗車券機能を利用して、ユーザが自動改札機１０６を通過して電車の駅構内へ入場する際（入駅時）には、非接触ＩＣ５０と自動改札機１０６のリーダ／ライタ１０８との間で非接触通信が行われる。この際、自動改札機１０６によって非接触ＩＣ５０の正当性がチェックされると共に、非接触ＩＣ５０に対しては、リーダ／ライタ１０８から駅名情報と入駅情報とが送信される。
【００４７】
プロセサ３０は、非接触ＩＣ５０とリーダ／ライタ１０８との間で非接触通信が行われたことを検出すると、非接触ＩＣ５０が受信した駅名情報および入駅情報をＲＡＭ４４に送信させ、受信した時刻と共にＲＡＭ４４に一時記憶させる。そして、プロセサ３０は、ＲＡＭ４４に一時記憶された駅名情報（通信場所の情報）を利用して、ワンセグ放送のＣＨ設定を自動的に調整する処理を実行する。
【００４８】
具体的には、プロセサ３０は、ＲＡＭ４４に記憶された駅名情報を読み出し、ネットワーク１０２を介して接続されるサーバ１０４を参照して、駅名情報から現在のＣＨエリア（現在エリア）を特定する。特定した現在エリア情報は、たとえば駅名情報を受信した時刻と対応付けて、ＲＡＭ４４に一時記憶される。
【００４９】
なお、サーバ１０４には、図４に示すような対応テーブル１１０が記憶される。対応テーブル１１０は、駅名情報のそれぞれと対応付けて、その駅が属するＣＨエリア情報を記憶するテーブルである。図４を参照すると、たとえば、Ａ駅およびＢ駅は、ＸエリアというＣＨエリアに存在し、Ｃ駅は、ＹエリアというＣＨエリアに存在していることが分かる。
【００５０】
現在エリアが特定されると、プロセサ３０は、現在エリアと設定中のＣＨエリア（設定エリア）とを比較する。そして、現在エリアと設定エリアとが異なる場合には、エリア変更を行い、つまり設定エリアを現在エリアに書き換え、現在エリアに応じたＣＨ設定に調整する。一方、現在エリアと設定エリアとが同じ場合には、エリア変更は行わない。これによって、移動によって受信するＣＨエリアが変わった場合でも、最適なＣＨ設定に調整されるので、ＣＨ設定にユーザの手を煩わせることがなくなり、また、テレビ機能を起動させるとすぐにワンセグ放送を視聴できるようになる。
【００５１】
なお、ユーザが自動改札機１０６を通過して駅構内から退場する際（出駅時）には、非接触ＩＣ５０に対しては、リーダ／ライタ１０８から駅名情報と出駅情報とが送信される。プロセサ３０は、出駅時においても入駅時と同様に、非接触ＩＣ５０が受信した駅名情報を利用して、ワンセグ放送のＣＨ設定を自動的に調整する処理を実行する。
【００５２】
図５は、図３に示すＲＡＭ４４のメモリマップの一例を示す図である。図５に示すように、ＲＡＭ４４には、プログラム記憶領域６６とデータ記憶領域６８が形成される。また、プログラムおよびデータの一部は、フラッシュメモリ４２から一度に全部または必要に応じて部分的かつ順次的に読み出され、ＲＡＭ４４に記憶される。
【００５３】
プログラム記憶領域６６には、携帯端末１０を動作させるためのプログラムが適宜記憶される。たとえば、携帯端末１０を動作させるためのプログラムには、通信プログラム６６１、ＣＨエリア特定プログラム６６２およびＣＨ設定プログラム６６３等が含まれる。
【００５４】
通信プログラム６６１は、ネットワーク１０２上のサーバ１０４とのデータ通信を行うためのプログラムである。ＣＨエリア特定プログラム６６２は、非接触ＩＣ５０が受信した駅名情報に基づいて、現在のＣＨエリアを特定するためのプログラムである。たとえば、サーバ１０４に記憶される対応テーブル１１０を参照して、現在のＣＨエリアを特定する。ＣＨ設定プログラム６６３は、現在のＣＨエリアと設定中のＣＨエリアとを比較して、これらが異なる場合には、エリア変更を行い、現在のＣＨエリアに応じたＣＨ設定に調整するためのプログラムである。
【００５５】
データ記憶領域６８には、非接触ＩＣ情報バッファ６８１、ＣＨエリアバッファ６８２およびＣＨ設定バッファ６８３が形成される。
【００５６】
非接触ＩＣ情報バッファ６８１は、非接触ＩＣ５０および非接触通信アンテナ５６が自動改札機１０６のリーダ／ライタ１０８から受信した情報を一時的に記憶する。たとえば、非接触ＩＣ情報バッファ６８１には、駅名情報、入駅情報および出駅情報が記憶される。ＣＨエリアバッファ６８２は、設定中のＣＨエリアや、非接触ＩＣ５０による非接触通信時に特定された現在のＣＨエリア等のＣＨエリアの情報を一時的に記憶する。ＣＨ設定バッファ６８３は、設定中のＣＨエリアに応じて調整されるＣＨ設定の内容を一時的に記憶する。
【００５７】
続いて、フロー図を用いてこの実施例の動作の一例について説明する。図６に示すＣＨ設定処理は、非接触ＩＣ５０が自動改札機１０６のリーダ／ライタ１０８との間で非接触通信を行う度に行われるものであり、主としてプロセサ３０によって実行されるものである。
【００５８】
ステップＳ１では、非接触ＩＣ５０の起動があるか否か、つまり、非接触ＩＣ５０が自動改札機１０６のリーダ／ライタ１０８によって起動されて、リーダ／ライタ１０８との間で非接触通信を行ったか否かを判断する。なお、非接触通信においては、非接触ＩＣ５０は、リーダ／ライタ１０８から駅名情報と入駅情報または出駅情報とを受信する。ステップＳ１で“ＮＯ”の場合、すなわち非接触ＩＣ５０の起動がない場合には、再度この処理を繰り返す。一方、ステップＳ１で“ＹＥＳ”の場合、すなわち非接触ＩＣ５０の起動がある場合には、処理はステップＳ３に進む。
【００５９】
ステップＳ３では、非接触ＩＣ５０が自動改札機１０６のリーダ／ライタ１０８から受信した駅名情報を取得する。つまり、非接触ＩＣ５０が受信した駅名情報をＲＡＭ４４に対して送信させ、受信した時刻と共にＲＡＭ４４に一時記憶させる。この際、入駅情報または出駅情報も同様に、ＲＡＭ４４に一時記憶させるとよい。
【００６０】
次のステップＳ５では、現在のＣＨエリアを特定する。つまり、ＲＡＭ４４に記憶された駅名情報を読み出し、ネットワーク１０２上のサーバ１０４に記憶される対応テーブル１１０を参照して、駅名情報から現在のＣＨエリアを特定する。特定した現在のＣＨエリアは、ＲＡＭ４４に一時記憶される。
【００６１】
次のステップＳ７では、ＣＨエリアに変更があるか否かを判断する。つまり、ステップＳ５で特定した現在のＣＨエリアと設定中のＣＨエリアとを比較し、これらが異なるか否か判断する。ステップＳ７で“ＮＯ”の場合、すなわちＣＨエリアに変更がない場合には、そのままＣＨ設定処理を終了する。一方、ステップＳ７で“ＹＥＳ”の場合、すなわちＣＨエリアに変更がある場合には、ステップＳ９に進む。
【００６２】
次のステップＳ９では、現在のＣＨエリアに応じたＣＨ設定に変更する。つまり、設定中のエリアを現在のＣＨエリアに書き換え、現在のＣＨエリアに応じたＣＨ設定に調整する。
【００６３】
この実施例によれば、ワンセグ放送のＣＨ設定を自動的に調整するに際して、非接触ＩＣ５０がリーダ／ライタ１０８との間で非接触通信を行うときに受信する駅名情報（通信場所の情報）を利用して、現在のＣＨエリアを特定する。このため、携帯端末１０の現在位置を把握するためにＧＰＳを起動させる必要がなく、携帯端末１０の消費電力を抑えることができる。また、ＧＰＳ機能を利用することなくワンセグ放送のＣＨ設定を自動的に調整できるので、携帯端末１０にＧＰＳ機能を備える必要がない。つまりこの発明は、ＧＰＳ機能を備えない携帯端末に対しても適用できる。
【００６４】
なお、上述の実施例では、非接触ＩＣ５０が自動改札機１０６のリーダ／ライタ１０８と非接触通信を行うたびに、現在のＣＨエリアを特定するようにしているが、これに限定されない。
【００６５】
たとえば、ユーザが出駅するときのみに、現在のＣＨエリアを特定する処理を実行して、ＣＨ設定を調整するようにしてもよい。この場合には、リーダ／ライタ１０８から非接触ＩＣ５０に送信される入駅情報や出駅情報を利用するとよく、たとえば、駅名情報と共に出駅情報が受信されたか否かによって、ユーザが出駅するか入駅するかを判断するとよい。ただし、駅名情報と共に入駅情報が受信されないことによって、ユーザが出駅すると判断することもできる。ＣＨエリアは、電車による移動によって変わる可能性がある、つまり入駅時よりも出駅時の方が、受信するＣＨエリアが変わっている可能性が高い。したがって、出駅時のみに現在のＣＨエリアを特定する処理を実行することによって、より効率的にＣＨ設定を調整でき、携帯端末１０の消費電力をより抑えることができるようになる。
【００６６】
また、たとえば、一定時間ごとに、或いはテレビ機能の起動時に、現在のＣＨエリアを特定する処理を実行して、ＣＨ設定を調整するようにしてもよい。この場合には、たとえば、非接触ＩＣ５０がリーダ／ライタ１０８から駅名情報を受信したときに、駅名情報を受信した時刻と共にＲＡＭ４４に記憶させておく。そして、一定時間ごとに、或いはテレビ機能の起動時に、ＲＡＭ４４から最新の駅名情報を読み出すことによって、現在のＣＨエリアを特定する処理を実行し、ＣＨ設定を調整するようにしてもよい。これによって、非接触ＩＣ５０による非接触通信が頻繁に利用されるような場合にも対応でき、携帯端末１０の消費電力をより抑えることができる。
【００６７】
また、上述の実施例では、交通機関の一例として電車（鉄道）を挙げて説明したが、これに限定されず、非接触ＩＣ５０を利用して航空機やバス等に乗る場合にもこの発明を応用できる。たとえば、空港に設置される自動改札機を通過する際に非接触ＩＣ５０が受信する空港名情報や、バスの車内に設置される料金装置を通過する際に非接触ＩＣ５０が受信する停留所名情報を利用して、現在のＣＨエリアを特定し、ＣＨ設定を調整することもできる。
【００６８】
さらに、上述の実施例では、非接触ＩＣ５０の乗車券機能を利用するときに受信する通信場所の情報（駅名情報）を用いて、現在のＣＨエリアを特定するようにしているが、これに限定されない。たとえば、図７に示すように、買い物などをする際の電子決済機能を利用するときに、非接触ＩＣ５０が電子決済機１１２のリーダ／ライタ１１４から受信する通信場所の情報（店舗名情報）を用いて、現在のＣＨエリアを特定することもできる。この場合、たとえばサーバ１０４の対応テーブル１１０には、店舗名情報のそれぞれと対応付けて、その店舗が属するＣＨエリア情報が記憶される。なお、店舗名情報を用いて現在のＣＨエリアを特定し、ＣＨ設定を調整する処理については、図６に示すＣＨ設定処理とほぼ同じであるので、説明は省略する。
【００６９】
また、上述の実施例では、ネットワーク１０２上のサーバ１０４に対応テーブル１１０を記憶させるようにしているが、これに限定されず、携帯端末１０が備える内部メモリに対して、対応テーブル１１０を記憶させておくこともできる。この場合、携帯端末１０の内部メモリには、対応テーブル１１０の全てを記憶させてもよいし、一部のみを記憶させてもよい。たとえば、比較的変更されることが多い店舗名情報に関する対応テーブル１１０は、サーバ１０４に記憶し、駅名情報に関する対応テーブル１１０は、携帯端末１０の内部メモリに記憶させるとよい。携帯端末１０の内部メモリの容量にもよるが、内部メモリに対応テーブル１１０を記憶させることにより、ネットワーク１０２上のサーバ１０４にアクセスすることと比較して、現在のＣＨエリアを特定する処理を短時間で実行できるようになる。
【００７０】
また、上述の実施例では、地上デジタル放送で行われる移動体向けのテレビ放送（ワンセグ放送）においてＣＨ設定を調整するようにしているが、この発明は、地上デジタル音声放送（ラジオ放送）にも同様に適用できる。
【００７１】
さらに、上述の実施例における非接触ＩＣ５０は、"ＦｅｌｉＣａ"に適用される近距離無線通信(NFC:Near Field Communication)技術の国際規格(ISO/IEC 18092)に基づいて構成されたが、小電力ICによる通信技術の国際規格(ISO/IEC 14443）に基づいて構成されてもよいし、他の通信規格に基づいて構成されてもよい。また、携帯通信端末１０の通信方式には、ＣＤＭＡ方式に限らず、Ｗ−ＣＤＭＡ方式、ＴＤＭＡ方式、ＰＨＳ方式およびＧＳＭ（登録商標）方式などを採用してもよい。
【００７２】
また、上述の実施例で用いられた複数のプログラムは、データ配信用のサーバのＨＤＤに記憶され、ネットワークを介して携帯端末１０に配信されてもよい。また、ＣＤ，ＤＶＤ，ＢＤ（Blue-Ray Disk）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯端末にインストールされた場合、本実施例と同等の効果が得られる。
【００７３】
なお、本明細書中で挙げた具体的な数値は、いずれも単なる一例であり、製品の仕様変更などに応じて適宜変更可能である。
【符号の説明】
【００７４】
１０  …携帯端末
１２  …ハウジング
１４  …ディスプレイ
３０  …プロセサ
３２  …無線通信回路
４４  …ＲＡＭ
４８  …デジタルチューナ（受信部）
５０  …非接触ＩＣ
６６  …プログラム記憶領域
６８  …データ記憶領域
１０２  …サーバ
１０６  …自動改札機
１０８，１１４  …リーダ／ライタ
１１２  …電子決済機
【図１】
0005728369.tif 000002
【図２】
0005728369.tif 000003
【図３】
0005728369.tif 000004
【図４】
0005728369.tif 000005
【図５】
0005728369.tif 000006
【図６】
0005728369.tif 000007
【図７】
0005728369.tif 000008